(57)【要約】【課題】防火機能を有しつつ、電線の取り回しの自由度の高い室外ユニットを提供する。【解決手段】室外ユニット２は、ケーシング４０と、室外ファン１５と、ファンモータ５０と、電線５８と、支持部材６０と、取付部材７０と、第１カバー部材８１と、第２カバー部材８２とを備える。ここで、電線５８は、ファンモータ本体５１に電力を供給するためのものである。そして、室外ユニット２では、支持部材６０、取付部材７０、第１カバー部材８１、及び第２カバー部材８２が全体として、ファンモータ本体５１の周囲を覆うものとなっている。また、室外ユニット２では、支持部材６０、取付部材７０、第１カバー部材８１、及び第２カバー部材８２のうちの少なくとも２以上の部材が、電線５８を規制して電線経路Ｐを形成する。【選択図】図１４
2019027739.tif 000002
【特許請求の範囲】
【請求項１】
ケーシング（４０）と、
前記ケーシング内に設けられ、後方から前方に風を吹き出すファン（１５）と、
ファンモータ本体（５１）、及び前記ファンモータ本体から突出して前記ファンモータ本体の風下側で前記ファンに接続する回転軸（５２）を有するファンモータ（５０）と、
前記ファンモータ本体に電力を供給するための電線（５８）と、
前記ケーシング内に前記ファンモータを支持するための支持部材（６０）と、
前記支持部材に前記ファンモータを取り付ける取付部材（７０）と、
前記回転軸が貫通する貫通孔（８１ｈ）が形成され、前記ファンモータ本体の風下側に配置される第１カバー部材（８１）と、
前記ファンモータ本体の風上側に配置される第２カバー部材（８２）と、
を備え、
前記支持部材、前記取付部材、前記第１カバー部材、及び前記第２カバー部材が全体として、前記ファンモータ本体の周囲を覆い、
前記支持部材、前記取付部材、前記第１カバー部材、及び前記第２カバー部材のうちの少なくとも２以上の部材が、前記電線を規制して電線経路（Ｐ）を形成する、
空気調和装置（１）の室外ユニット（２）。
【請求項２】
前記取付部材と、前記第１カバー部材又は前記第２カバー部材とは、前記電線経路の一部として、所定の隙間（Ａ）を形成するように配置され、前記隙間を形成する位置に前記電線の一部を固定する、
請求項１に記載の空気調和装置の室外ユニット。
【請求項３】
前記取付部材は、前記隙間を形成する部分（７０ｐ）にヘミング加工がされたものである、
請求項２に記載の空気調和装置の室外ユニット。
【請求項４】
前記支持部材は、所定の方向に延びるとともに前記方向に沿って溝部が形成される柱状部材（６１ａ，６１ｂ）を有し、
前記電線が前記溝部に配置される、
請求項１から３のいずれか１項に記載の空気調和装置の室外ユニット。
【発明の詳細な説明】
【技術分野】
【０００１】
本発明は、空気調和装置の室外ユニットに関する。
【背景技術】
【０００２】
従来の空気調和装置には、ファンを駆動するファンモータ本体をカバーで囲む室外ユニットを利用するものがある。例えば、特許文献１（特許第６０００２０４号）には、ファンモータ本体をカバーで囲むことにより、ファンモータ本体に結露水が浸入するのを抑制するヒートポンプ熱源ユニットが開示されている。
【発明の概要】
【発明が解決しようとする課題】
【０００３】
ところで、室外に設置される室外ユニットでは、想定外の事象によりファンモータ本体が発火源となる虞がある。ここでいう、「想定外の事象」とは、例えば室外ユニットの製造メーカが保証する運転保証範囲外の使われ方をされた場合や運転保証範囲外の環境で使用された場合等に起因する事象のことであり、通常予見することが困難なものを意味する。
【０００４】
このような想定外の事象が生じた場合であっても、室外ユニットを製造する際には安全性に対して最大限の配慮をする必要がある。そこで、想定外の事象により、仮にファンモータ本体が発火した場合でも、ファンモータの近傍に存するファンブレード等の周辺部材への延焼を防ぐために、上記特許文献１に示されているような、ファンモータ本体の周囲を完全に覆うカバーを室外ユニットに配置することが考えられる。
【０００５】
しかしながら、上記特許文献１に示されている構造では、ファンモータ本体の周囲が完全にカバーで囲まれることから、ファンモータ本体につながる電線の取り回しの自由度が限定されることがある。
【０００６】
本発明の課題は、防火機能を有する、空気調和装置の室外ユニットを提供することである。特に、本発明では、防火機能を有しつつ、電線の取り回しの自由度の高い室外ユニットを提供することを目的とする。
【課題を解決するための手段】
【０００７】
本発明の第１観点に係る空気調和装置の室外ユニットは、ケーシングと、ファンと、ファンモータと、電線と、支持部材と、取付部材と、第１カバー部材と、第２カバー部材と、を備える。ここで、ファンは、ケーシング内に設けられ、後方から前方に風を吹き出すものである。ファンモータは、ファンモータ本体、及びファンモータ本体から突出してファンモータ本体の風下側でファンに接続する回転軸を有するものである。電線は、ファンモータ本体に電力を供給するためのものである。支持部材は、ケーシング内に前記ファンモータを支持するためのものである。取付部材は、支持部材にファンモータを取り付けるものである。第１カバー部材は、回転軸が貫通する貫通孔が形成され、ファンモータ本体の風下側に配置されるものである。第２カバー部材は、ファンモータ本体の風上側に配置されるものである。そして、室外ユニットでは、支持部材、取付部材、第１カバー部材、及び第２カバー部材が全体として、ファンモータ本体の周囲を覆うものとなっている。また、室外ユニットでは、支持部材、取付部材、第１カバー部材、及び第２カバー部材のうちの少なくとも２以上の部材が、電線を規制して電線経路を形成する。
【０００８】
第１観点に係る室外ユニットでは、支持部材、取付部材、第１カバー部材、及び第２カバー部材が全体としてファンモータ本体の周囲を覆うので、防火機能を有する室外ユニットを提供できる。ここで、単一のカバー部材によりファンモータ本体の周囲を覆う構成の場合には、電線の取り出し位置が限定されることになる。これに対し、上記構成によれば、複数の部材を用いて電線経路を形成するので、各部材の配置に応じて、ファンモータ本体につながる電線の取り回しの自由度を高めることができる。結果として、上記構成を採用することで、防火機能を有しつつ、電線の取り回しの自由度の高い室外ユニットを提供することができる。
【０００９】
本発明の第２観点に係る空気調和装置の室外ユニットは、第１観点に係る室外ユニットにおいて、取付部材と、第１カバー部材又は第２カバー部材とが、電線経路の一部として、所定の隙間を形成するように配置され、その隙間を形成する位置に電線の一部を固定する。
【００１０】
第２観点に係る室外ユニットでは、取付部材と、第１カバー部材又は第２カバー部材とが形成する隙間の位置に、ファンモータ本体から延びる電線を固定するので、室外ユニットの組立性を向上できるとともに電線の損傷を防止する効果を高めることができる。
【００１１】
本発明の第３観点に係る空気調和装置の室外ユニットは、第２観点に係る室外ユニットにおいて、取付部材の当該隙間を形成する部分にヘミング加工がされたものである。
【００１２】
第３観点に係る室外ユニットでは、取付部材の、電線を固定する隙間を形成する部分にヘミング加工がされているので、電線の損傷を回避できる。
【００１３】
本発明の第４観点に係る空気調和装置の室外ユニットは、第１観点から第３観点のいずれかに係る室外ユニットにおいて、支持部材が、所定の方向に延びるとともに、その方向に沿って溝部が形成される柱状部材を有する。また、電線がその溝部に配置される。
【００１４】
第４観点に係る室外ユニットでは、支持部材の延びる方向に沿って形成される溝部に電線が配置されるので、室外ユニット内の他の部品と電線との干渉を阻止できる。これにより、室外ユニットの組立性が向上するとともに電線の損傷を防止する効果を高めることができる。
【発明の効果】
【００１５】
第１観点に係る室外ユニットでは、防火機能を有しつつ、電線の取り回しの自由度を高くすることができる。
【００１６】
第２観点に係る室外ユニットでは、組立性を向上するとともに電線の損傷を防止する効果を高めることができる。
【００１７】
第３観点に係る室外ユニットでは、電線の損傷を回避できる。
【００１８】
第４観点に係る室外ユニットでは、組立性が向上するとともに電線の損傷を防止する効果を高めることができる。
【図面の簡単な説明】
【００１９】
【図１】本発明の一実施形態に係る室外ユニット２が採用された空気調和装置１の概略構成図である。
【図２】同実施形態に係る室外ユニット２の外観斜視図である。
【図３】同実施形態に係る室外ユニット２の平面図（送風機室Ｓ１の構成のみを図示）である。
【図４】同実施形態に係る室外ユニット２の正面図（送風機室Ｓ１の構成のみを図示）である。
【図５】同実施形態に係るファンモータ５０の外観を示す模式図である。
【図６】同実施形態に係る取付部材７０の構成を示す模式図である。
【図７】同実施形態に係るファンモータ５０が支持部材６０に取り付けられたときの状態を示す図である。
【図８】同実施形態に係るファンモータ５０及び周辺部材の右前方斜視図である。
【図９】同実施形態に係るファンモータ５０及び周辺部材の右後方斜視図（一部透視）である。
【図１０】同実施形態に係る第１カバー部材８１の構成を示す模式図である。
【図１１】同実施形態に係る第２カバー部材８２の開口８２ｈと第２防火部材５５ｂとの大きさの関係を示す模式図である。
【図１２】同実施形態に係る第２カバー部材８２の構成を示す模式図である。
【図１３】同実施形態に係るファンモータ５０の周辺部材の断面構成を示す模式図である。
【図１４】同実施形態に係る電線経路Ｐを説明するための模式図である。
【図１５】同実施形態に係るヘミング加工（接触部７０ｐ）を説明するための模式図である。
【図１６】同実施形態に係る電線経路Ｐを説明するための模式図である。
【図１７】変形例Ｂに係る第２カバー部材８２の開口８２ｈと第２防火部材５５ｂとの大きさの関係を示す模式図である。
【図１８】変形例Ｂに係る第２カバー部材８２の構成を説明するための模式図である。
【図１９】変形例Ｃに係るファンモータ５０及びその周辺部材の右前方斜視図である。
【図２０】変形例Ｃに係るファンモータ５０及びその周辺部材の右後方斜視図（一部透視）である。
【図２１】変形例Ｃに係る取付部材７０の構成を示す模式図である。
【図２２】変形例Ｃに係る第１カバー部材８１の構成を示す模式図である。
【図２３】変形例Ｃに係る第２カバー部材８２の構成を示す模式図である。
【図２４】変形例Ｃ，Ｄ，Ｅ，Ｆに係るファンモータ５０の周辺部材の断面構成を示す模式図である。
【図２５】変形例Ｈに係る上吹き型の室外ユニット２の外観斜視図である。
【発明を実施するための形態】
【００２０】
以下、本発明に係る室外ユニットの実施形態及びその変形例について、図面に基づいて説明する。なお、本発明に係る室外ユニットの具体的な構成は、下記の実施形態及びその変形例に限られるものではなく、発明の要旨を逸脱しない範囲で変更可能である。
【００２１】
（１）空気調和装置の構成
図１は本発明の一実施形態に係る室外ユニット２が採用された空気調和装置１の概略構成図である。
【００２２】
空気調和装置１は、蒸気圧縮式の冷凍サイクルを行うことによって、建物等の室内の冷房や暖房を行うことが可能な装置である。空気調和装置１は、主として、室外ユニット２と室内ユニット３とが接続されることによって構成される。ここで、室外ユニット２と室内ユニット３とは、液冷媒連絡管４及びガス冷媒連絡管５を介して接続される。すなわち、空気調和装置１の蒸気圧縮式の冷媒回路６は、室外ユニット２と室内ユニット３とが冷媒連絡管４、５を介して接続されることによって構成される。また、この冷媒回路６にはＲ３２等の冷媒が封入される。
【００２３】
室内ユニット３は、室内に設置されており、冷媒回路６の一部を構成する。室内ユニット３は、主として、室内熱交換器１９を有する。
【００２４】
室外ユニット２は、室外に設置されており、冷媒回路６の一部を構成する。室外ユニット２は、主として、圧縮機７と、四路切換弁１０と、室外熱交換器１１と、膨張弁１２と、液側閉鎖弁１３と、ガス側閉鎖弁１４と、室外ファン１５とを有する。室外熱交換器１１の液側端と液側閉鎖弁１３とは液冷媒管１６によって接続される。液冷媒管１６には膨張弁１２が設けられる。
【００２５】
このような冷媒回路６を有する空気調和装置１は、冷房運転時において、圧縮機７、放熱器としての室外熱交換器１１、膨張弁１２、蒸発器としての室内熱交換器１９の順に冷媒を循環する。また、空気調和装置１は、暖房運転時において、圧縮機７、放熱器としての室内熱交換器１９、膨張弁１２、蒸発器としての室外熱交換器１１の順に冷媒を循環する。
【００２６】
（２）室外ユニットの構成
（２−１）全体
図２は室外ユニット２の外観斜視図である。図３は室外ユニット２の平面図（送風機室Ｓ１の構成のみを図示）である。図４は室外ユニット２の正面図（送風機室Ｓ１のみを図示）である。
【００２７】
室外ユニット２は、略直方体箱状のケーシング４０の内部が、鉛直に延びる仕切り板４８により送風機室Ｓ１と機械室Ｓ２とに分割された構造（いわゆる「トランク型」と呼ばれる構造）を有する。トランク型の室外ユニット２では、送風機室Ｓ１内に、後述する室外ファン１５及び支持部材６０が、ケーシング４０の正面側から背面側に向けて順次配置される。また、送風機室Ｓ１には室外熱交換器１１が配置される。一方、機械室Ｓ２には、圧縮機７及び電装品アセンブリ等（図示省略）が設けられる。
【００２８】
以下の説明において、「上」、「下」、「左」、「右」、「前」、「後」、「正面」、「背面」は、特にことわりのない限り、図２に示される室外ユニット２を前方から見た場合の方向を意味するものとする。
【００２９】
（２−２）ケーシング
ケーシング４０は、主として、底フレーム４１と、天板４２と、左前板４３と、右前板４４と、右側板４５とを有する。
【００３０】
底フレーム４１は、ケーシング４０の底面部分を構成する横長の略長方形状の板状部材である。底フレーム４１の下面には、現地設置面に固定される２つの固定脚４６が設けられる。
【００３１】
天板４２は、ケーシング４０の天面部分を構成する横長の略長方形状の板状部材である。
【００３２】
左前板４３は、主として、ケーシング４０の左正面部分及び左側面部分を構成する板状部材であり、その下部が底フレーム４１にネジ等により固定される。左前板４３には、室外ファン１５によってケーシング４０内に吸入される空気の吸入口４３ａが形成される。また、左前板４３には、室外ファン１５によってケーシング４０の背面側及び左側面側から内部に取り込まれた空気を外部に吹き出すための吹出口４３ｂが設けられる。吹出口４３ｂは、ここでは、上下２つ形成されており、それぞれにファングリル４７が設けられる。
【００３３】
右前板４４は、主として、ケーシング４０の右正面部分及び右側面の前部を構成する板状部材であり、その下部が底フレーム４１にネジ等により固定される。また、右前板４４は、その左端部が左前板４３の右端部にネジ等により固定される。
【００３４】
右側板４５は、主として、ケーシング４０の右側面の後部及び右背面部分を構成する板状部材であり、その下部が底フレーム４１にネジ等により固定される。そして、左前板４３の後端部と右側板４５の背面側端部との左右方向（ケーシング４０の背面）の間には、室外ファン１５によってケーシング４０内に吸入される空気の吸入口４３ｃが形成される。
【００３５】
また、ケーシング４０内には、仕切り板４８が設けられる。仕切り板４８は、底フレーム４１上に配置される鉛直に延びる板状部材である。仕切り板４８は、ケーシング４０を上方から見た際に、左前板４３の右端部から背面側に向かって延びるものである。仕切り板４８の高さは、ケーシング４０の左側面から背面に沿うように配置された略Ｌ字形状の室外熱交換器１１の右端面まで達している。左前板４３の右端部は、仕切り板４８の前端部にネジ等により固定される。ここで、ケーシング４０の内部は、仕切り板４８により、送風機室Ｓ１と機械室Ｓ２とに区分けされる。送風機室Ｓ１は、底フレーム４１と、天板４２と、左前板４３と、仕切り板４８とにより囲まれた空間であり、主として、室外ファン１５及び室外熱交換器１１が配置される。機械室Ｓ２は、底フレーム４１と、天板４２と、右前板４４と、右側板４５と、仕切り板４８とにより囲まれた空間であり、主として、室外熱交換器１１以外の冷媒回路構成部品及び電装品アセンブリ等（図示省略）が配置される。
【００３６】
（２−３）室外熱交換器
室外熱交換器１１は、送風機室Ｓ１内に配置されており、室外ファン１５によってケーシング４０内に取り込まれた空気との間で熱交換を行うものである。室外熱交換器１１は、ケーシング４０を上方から見た際に、略Ｌ字形状を有し、ケーシング４０の左側面から背面に沿うように配置される。
【００３７】
（２−４）室外ファン
室外ファン１５は、プロペラファンであり、送風機室Ｓ１内の室外熱交換器１１の前方に配置される。ここでは、室外ファン１５は、吹出口４３ｂに対向するように、送風機室Ｓ１内に上下２つ配置される。室外ファン１５はファンモータ５０により駆動され、後方（背面側）から前方（正面側）に風を吹き出すものである。
【００３８】
（２−５）ファンモータ
ファンモータ５０は、室外ファン１５を駆動するモータであり、後述する取付部材７０を介して、ケーシング４０の背面側に立設された支持部材６０に取り付けられる。このファンモータ５０の周囲にはカバー部材８０が配置される。
【００３９】
具体的には、ファンモータ５０は、図５に示すように、ファンモータ本体５１と回転軸５２とを有する。ファンモータ本体５１は電線５８につながっており、この電線５８を介して電力が供給される。回転軸５２は、ファンモータ本体５１から前方に突き出ており、ファンモータ本体５１の正面側（風下側）で室外ファン１５に接続する。
【００４０】
また、ファンモータ本体５１の外面の一部には防火部材５５ａ，５５ｂが配置される。防火部材５５ａ，５５ｂは、金属又は難燃性樹脂により形成される。具体的には、ファンモータ本体５１の外面のうち、回転軸５２の周辺領域５１ａが第１防火部材５５ａで構成される。なお、第１防火部材５５ａに接触するようにして水きりゴム５６が配置される。また、ファンモータ本体５１の背面側（風上側）の外面の一部には、第２防火部材５５ｂが配置される。ここでは、ファンモータ本体５１の底面５１ｂが第２防火部材５５ｂで構成される。
【００４１】
第１防火部材５５ａは、後述する第１カバー部材８１の貫通孔（開口）８１ｈを、貫通孔８１ｈの正面からファンモータ５０に投影したときに、少なくとも貫通孔８１ｈを閉塞する程度の大きさを有する。また、第２防火部材５５ｂは、後述する第２カバー部材８２の開口８２ｈを、開口８２ｈの正面からファンモータ５０に投影したときに、少なくとも開口８２ｈを閉塞する程度の大きさを有する。
【００４２】
（２−６）ファンモータの周辺部材の構成
（２−６−１）支持部材
支持部材６０は、図３，４に示すように、ケーシング４０内にファンモータ５０を支持するための部材である。ここでは、支持部材６０は、ケーシング４０内で背面側に取り付けられており、一組の柱状部材６１ａ，６１ｂを有している。柱状部材６１ａ，６１ｂは、正面視で上下方向に延びるとともに、その延びている方向に沿って溝部が形成される。柱状部材６１ａ，６１ｂには、コの字形状（Ｃ字形状）のものが用いられる。また、コの字形状の１組の柱状部材６１ａ，６１ｂは互いが向き合う側（内側）に溝部を有するように配置される。ただし、柱状部材６１ａ，６１ｂは、互いが向き合う側に溝部を有するものであれば、コの字形状に限らず、Ｌ字、Ｚ字、Ｈ字形状等を採用することができる。
【００４３】
（２−６−２）取付部材
取付部材７０は、支持部材６０にファンモータ５０を取り付ける部材である。取付部材７０は、例えば図６（ａ）に示す形状を有しており、図６（ｂ）に示すような板金が折り曲げられることにより形成される。取付部材７０は、正面部７０ａと、上面部７０ｂと、下面部７０ｃと、左側面部７０ｄと、右側面部７０ｅとを有する。正面部７０ａは開口７０ｈを有しており、この開口７０ｈにファンモータ本体５１が嵌め込まれる。そして、ネジを介してファンモータ５０が取付部材７０に固定される。また、取付部材７０は、ネジを介して支持部材６０に取り付けられる。これにより、図７に示すように、取付部材７０を介してファンモータ５０が支持部材６０に取り付けられる。なお、取付部材７０の電線５８と接触する部分である接触部７０ｐには、後述するヘミング加工が施される。
【００４４】
（２−６−３）カバー部材
カバー部材８０は、ファンモータ５０の周囲に配置される部材である。カバー部材８０は、ファンモータ５０の周囲に配置されたときに、ファンモータ５０の防火部材５５ａ，５５ｂと重複する領域に開口８１ｈ，８２ｈを有するものである。そして、カバー部材８０と、防火部材５５ａ，５５ｂと、支持部材６０と、取付部材７０とは、全体として、ファンモータ本体５１の周囲を覆う。具体的に、カバー部材８０は、第１カバー部材８１と、第２カバー部材８２とを有する。したがって、ファンモータ本体５１の周囲は、図８、図９に示すように、防火部材５５ａ，５５ｂ、支持部材６０、取付部材７０、第１カバー部材８１、及び第２カバー部材８２により覆われることになる。なお、図８はファンモータ５０及びその周辺部材の右前方斜視図を示しており、図９はファンモータ５０及びその周辺部材の右後方斜視図（柱状部材６１ａを透視）を示している。
【００４５】
さらに詳しくは、第１カバー部材８１には、回転軸５２が貫通する貫通孔８１ｈが形成される。そして、第１カバー部材８１は、ファンモータ本体５１の前方（風下側）に配置される。貫通孔８１ｈは、回転軸５２の軸方向視で第１防火部材５５ａと重複するように形成される。例えば、第１カバー部材８１は、図１０（ａ）に示す形状を有しており、図１０（ｂ）に示すような板金が折り曲げられることにより形成される。第１カバー部材８１は、正面部（固定部）８１ａと、上面部８１ｂ、下面部８１ｃ（第１下面部）とを有する。正面部８１ａは、取付部材７０及び／又は支持部材６０に固定される部分であり、回転軸５２が貫通する貫通孔８１ｈが形成される。ここでは、正面部８１ａが、ネジ９５を介して取付部材７０に取り付けられる（図８参照）。これにより、ファンモータ５０の回転軸５２が貫通孔８１ｈを貫通する状態で、第１カバー部材８１がファンモータ本体５１の前方（風上側）に配置される。また、上面部８１ｂは、取付部材７０に係止する係止部８１ｋを有する。係止部８１ｋは、例えば組立時に仮止め等ができるように形成される。また、係止部８１ｋは、例えば想定外の事象により正面部８１ａのネジ９５が外れて第１カバー部材８１が落下したときに、第１カバー部材８１が取付部材７０に係止されるように形成される。また、下面部８１ｃは、下向き且つ後方（風上側）に向けて傾斜しており、第２カバー部材８２の下面部８２ｃともに、後述の「重複領域Ｒ」を形成する。
【００４６】
第２カバー部材８２は、ファンモータ本体５１の後方（風上側）に配置される。第２カバー部材８２には、図９に示すように、回転軸５２の軸方向視で第２防火部材５５ｂと重複する領域に開口８２ｈが形成される。補足すると、図１１に概念を示すように、横断面から見た場合、第２カバー部材８２の開口８２ｈが第２防火部材５５ｂよりも小さくなるように形成される。具体的に、第２カバー部材８２は、図１２（ａ）に示す形状を有しており、図１２（ｂ）に示すような板金が折り曲げられることにより形成される。第２カバー部材８２は、正面部８２ａと、上面部８２ｂと、下面部８２ｃ（第２下面部）とを有する。また、正面部８２ａは、ネジ９６を介して支持部材６０に取り付けられる（図９参照）。正面部８２ａには開口８２ｈが形成される。また、下面部８２ｃは、下向き且つ前方（風下側）に向けて傾斜しており、第１カバー部材８１の下面部８１ｃとともに後述する「重複領域Ｒ」を形成する。
【００４７】
（２−６−４）重複領域
第１カバー部材８１の下面部８１ｃと第２カバー部材８２の下面部８２ｃとは、ファンモータ本体５１の下部に「重複領域Ｒ」を形成する。重複領域Ｒは、平面視で重複するとともに側面視で隙間を有する領域である。これにより、図１３に示すように、ファンモータ本体５１の周囲が隙間を有するようにして覆われる。
【００４８】
（２−６−５）電線経路
上述した、支持部材６０と取付部材７０と第１カバー部材８１と第２カバー部材８２とのうちの少なくとも２以上の部材は、ファンモータ本体５１につながる電線５８を規制して「電線経路Ｐ」を形成する。ここでは、取付部材７０と、第１カバー部材８１又は第２カバー部材８２とが、電線経路Ｐの一部として、所定の隙間を形成するように配置される。そして、この隙間を形成する位置に電線５８の一部が固定される。例えば、図１４に示す例では、取付部材７０と第１カバー部材８１との間に隙間Ａが形成される。そして、取付部材７０及び第１カバー部材８１に接触することにより電線５８の位置が規制されて、隙間Ａの位置に電線５８の一部が固定される。また、取付部材７０の電線５８と接触する部分である接触部７０ｐは、図１５に示すようにヘミング加工が施される。ヘミング加工により、板金の一部が、電線５８との接触を避ける方向（図１５においては紙面の手前側）に折り曲げられる。これにより金属加工に伴うバリが電線５８に接触することを回避している。なお、図１４では図示されていないが、隙間Ａの近傍には支持部材６０が配置されるので、支持部材６０も電線５８に接触し、電線５８の位置を規制する。また、電線５８は、支持部材６０の溝部に配置され、溝部をつたって配線される。
【００４９】
なお、上述した隙間Ａ及び接触部７０ｐの位置は一例として示したものであり、本実施形態の電線経路Ｐがこのような位置に限られるわけではない。例えば、電線経路Ｐは、図１６に概念を示すように、上下のファンモータ５０（図示省略）で異なる位置に形成されることもある。要するに、隙間Ａ及び接触部７０ｐは、ファンモータ５０の位置に応じて最適な位置に形成されるものである。
【００５０】
（３）室外ユニットの特徴
（３−１）
以上説明したように、本実施形態に係る空気調和装置１の室外ユニット２は、ケーシング４０と、室外ファン１５と、ファンモータ５０と、支持部材６０と、取付部材７０と、カバー部材８０（８１，８２）とを備える。ここで、室外ファン１５は、ケーシング４０内に設けられる。ファンモータ５０は、ファンモータ本体５１を有する。支持部材６０は、ケーシング４０内にファンモータ５０を支持するためのものである。取付部材７０は、支持部材６０にファンモータ５０を取り付けるものである。カバー部材８０は、ファンモータ本体５１の周囲に配置される。そして、この室外ユニット２では、支持部材６０、取付部材７０、及びカバー部材８０が全体として、ファンモータ本体５１の周囲を覆うものとなっている。
【００５１】
したがって、本実施形態に係る室外ユニット２の構成によれば、例えば室外ユニットの製造メーカが保証する運転保証範囲外の使われ方をされた場合や運転保証範囲外の環境で使用された場合等に起因する事象により、仮にファンモータ本体５１が発火したとしても周辺部材への延焼を回避することができる。
【００５２】
（３−２）
また、本実施形態に係る空気調和装置１の室外ユニット２では、ファンモータ本体５１の外面の一部に防火部材５５ａ，５５ｂが配置される。そして、カバー部材８０が、防火部材５５ａ，５５ｂと重複する領域に開口８１ｈ，８２ｈを有している。すなわち、この室外ユニット２では、防火部材５５ａ，５５ｂ、支持部材６０、取付部材７０、及びカバー部材８０が全体として、ファンモータ本体５１の周囲を覆うものとなっている。
【００５３】
したがって、本実施形態に係る室外ユニット２の構成によれば、ファンモータ５０の周囲に配置されるカバー部材８０（８１，８２）が、ファンモータ本体５１に配置される防火部材５５ａ，５５ｂと重複する領域に開口８１ｈ，８２ｈを有し、防火部材５５ａ,５５ｂ、支持部材６０、及び取付部材７０が全体としてファンモータ本体５１を覆うので、想定外の事象により、仮にファンモータ本体５１が発火したとしても周辺部材への延焼を回避することができる。また、カバー部材８０が開口８１ｈ，８２ｈを有してファンモータ本体５１を覆うので、カバー部材８０から熱を排出することができる。結果として、上記構成を採用することで、防火機能を有しつつ、ファンモータ５０の放熱性の高い、空気調和装置１の室外ユニット２を提供できる。
【００５４】
（３−３）
また、本実施形態に係る室外ユニット２は、室外ファン１５が、後方から前方に風を吹き出すものである。また、防火部材が、ファンモータ本体５１の前方（風下側）に配置される第１防火部材５５ａ、及び／又は、ファンモータ本体５１の後方（風上側）に配置される第２防火部材５５ｂを有する。したがって、ファンモータ本体５１の前方（風上側）又は後方（風下側）の外面に防火部材が配置されているものであれば、任意の仕様のファンモータを用いて、放熱性の高い室外ユニット２を提供できる。
【００５５】
（３−４）
また、本実施形態に係る室外ユニット２は、防火部材が、少なくとも第２防火部材５５ｂを有する。また、ファンモータ５０が、ファンモータ本体５１の前方（風下側）で室外ファン１５に接続する回転軸５２を有する。そして、カバー部材８０が、ファンモータ５０の後方（風上側）に、回転軸５２の軸方向視で第２防火部材５５ｂと重複する領域に少なくとも一つの開口８２ｈが形成される第２カバー部材８２を有する。
【００５６】
本実施形態に係る室外ユニット２は、開口８２ｈを有する第２カバー部材８２を用いてファンモータ本体５１を覆うので、ファンモータ５０の放熱性を高めることができる。
【００５７】
（３−５）
また、本実施形態に係る室外ユニット２は、防火部材が少なくとも第１防火部材５５ａを有する。また、ファンモータ５０が、ファンモータ本体５１の前方（風下側）で室外ファン１５に接続する回転軸５２を有する。また、カバー部材８０が、ファンモータ５０の前方（風下側）に、回転軸５２が貫通する貫通孔８１ｈが形成される第１カバー部材８１を有する。そして、貫通孔８１ｈが、回転軸５２の軸方向視で第１防火部材５５ａと重複する領域に形成される。
【００５８】
本実施形態に係る室外ユニット２では、回転軸５２の軸方向視で第１防火部材５５ａと重複する領域に貫通孔８１ｈが形成されるので、想定外の事象により、仮にファンモータ本体５１が発火した場合でも、ファンモータ５０の回転軸５２が貫通する貫通孔８１ｈから火が漏れることを回避できる。
【００５９】
また、この室外ユニット２では、複数の部材を用いてファンモータ本体５１を覆うので、各部材間の隙間を調整することで、ファンモータ５０の放熱性を高めることができる。
【００６０】
（３−６）
また、本実施形態に係る室外ユニット２は、室外ファン１５及び支持部材６０が、ケーシング４０の正面側から背面側に向けて順次配置される。そして、第１カバー部材８１が、上面部８１ｂと、取付部材７０及び／又は支持部材６０に固定される正面部（固定部）８１ａとを有する。また、上面部８１ｂは、取付部材７０に係止する係止部８１ｋを有する。
【００６１】
したがって、本実施形態に係る室外ユニット２では、第１カバー部材８１が係止部８１ｋにより取付部材７０に係止されるので、ファンモータ５０の周辺部材の分離を回避できる。例えば、想定外の事象により、第１カバー部材８１を固定するネジ９５が仮に外れた場合等であっても、第１カバー部材８１が係止部８１ｋを介して取付部材７０に係止されるので、ファンモータ５０の回転軸５２が接続している室外ファン１５に第１カバー部材８１が接触する事態が生じるのを回避できる。結果として、室外ファン１５の運転時の安全性を高めることができる。
【００６２】
（３−７）
また、本実施形態に係る室外ユニット２は、防火部材５５ａ，５５ｂが、カバー部材８０（８１，８２）の開口８１ｈ，８２ｈを、開口８１ｈ，８２ｈの正面からファンモータ５０に投影したときに、少なくとも開口８１ｈ，８２ｈを閉塞する大きさを有するものである。なお、開口８１ｈ，８２ｈはそれぞれ視認できる防火部材５５ａ，５５ｂに対応する。すなわち、防火部材５５ａ，５５ｂと開口８２ｈ，８１ｈとが対応するものではない。
【００６３】
したがって、本実施形態に係る室外ユニット２では、防火部材５５ａ，５５ｂの方がカバー部材８０（８１，８２）の開口８１ｈ，８２ｈよりも大きいので、想定外の事象により、仮にファンモータ本体５１が発火したとしても、開口８１ｈ，８２ｈから火が漏れることを回避できる。
【００６４】
（３−８）
また、本実施形態に係る室外ユニット２は、防火部材５５ａ，５５ｂが、金属又は難燃性樹脂により形成される。これにより、防火機能及び放熱性の高い室外ユニット２を提供できる。換言すると、金属又は難燃性樹脂が本体表面に設けられたファンモータ５０であれば、本実施形態に係るファンモータの周辺部材の構造（取付部材７０及びカバー部材８０）を適用することで、防火機能を有しつつ放熱性の高い室外ユニット２を構築することができる。
【００６５】
（３−９）
また、本実施形態に係る空気調和装置１の室外ユニット２は、第１カバー部材８１及び第２カバー部材８２が、平面視で重複するとともに側面視で隙間を有する重複領域Ｒをファンモータ本体５１よりも下方に形成する（図１３参照）。
【００６６】
したがって、本実施形態に係る室外ユニット２は、外部から水が浸入してきたり、内部に結露水等が生じたりした場合に、ファンモータ本体５１の下方に形成される重複領域Ｒの隙間を経由して水が排出される。一方、重複領域Ｒは平面視で重複していることから、想定外の事象により、仮にファンモータ本体５１が発火した場合でも、ファンモータ本体５１の周囲を覆う部材から外部へ火が漏れることを阻止できる。結果として、防火機能を有しつつ排水性の高い室外ユニット２を提供できる。
【００６７】
なお、本実施形態では一例として、第１カバー部材８１及び第２カバー部材８２により重複領域Ｒが形成されるものを挙げたが、重複領域の形態はこれに限るものではない。詳しくは変形例で後述する。
【００６８】
（３−１０）
また、本実施形態に係る室外ユニット２は、重複領域Ｒを形成する２つの部材のうちの一方は、他方に向けて下向きに傾斜する傾斜部を有するものである。具体的には、本実施形態に係る室外ユニット２は、第２カバー部材８２が、第１カバー部材８１の下面部８１ｃに向けて下向きに傾斜する下面部８２ｃを有している。したがって、室外ユニット２では、外部から水が浸入してきたり、内部に結露水等が生じたりした場合に、ファンモータ５０の下方に形成される重複領域Ｒにおいて、第２カバー部材８２の下面部８２ｃを介して、第１カバー部材８１の下面部８１ｃに水が自然に流出される。また、第１カバー部材８１に流れてきた水は第１カバー部材８１の下面部８１ｃを介して自然に排出される。したがって、上記構造により、排水性の高い室外ユニット２を提供することができる。
【００６９】
（３−１１）
また、本実施形態に係る室外ユニット２は、室外ファン１５及び支持部材６０がケーシング４０の正面側から背面側に向けて順次配置される、いわゆるトランク型（横吹き型）の室外ユニットである。また、第１カバー部材８１は、下向き且つ後方（風上側）に向けて傾斜する下面部（第１下面部）８１ｃを下部に有する。第２カバー部材８２は、下向き且つ前方（風下側）に向けて傾斜する下面部（第２下面部）８２ｃを下部に有する。
【００７０】
したがって、このようなトランク型の室外ユニット２では、外部から水が浸入してきたり、内部に結露水等が生じたりした場合に、ファンモータ本体５１の下方に形成される重複領域Ｒの第１下面部８１ｃ及び第２下面部８２ｃを介して水が自然に排出される。要するに、上記構成により、排水性の高いトランク型（横吹き型）の室外ユニットを提供できる。さらに、上記構成の室外ユニット２では、重複領域Ｒを形成する第１カバー部材８１の下面部８１ｃと第２カバー部材８２の下面部８２ｃとが互いに近づく向きであるので、重複領域Ｒを形成する部材をコンパクトに配置することができる。結果として、室外ユニット２を小型化することができる。
【００７１】
（３−１２）
また、本実施形態に係る空気調和装置１の室外ユニット２は、支持部材６０と取付部材７０と第１カバー部材８１と第２カバー部材８２とのうちの少なくとも２以上の部材が、電線５８を規制して電線経路Ｐを形成する。
【００７２】
したがって、本実施形態に係る室外ユニット２では、ファンモータ本体５１につながる電線５８の取り回しの自由度を高めることができる。補足すると、単一のカバー部材によりファンモータ本体５１の周囲を覆う構成の場合には、電線５８の取り出し位置が限定されることになる。これに対し、本実施形態に係る室外ユニット２の構成によれば、複数の部材を用いて電線経路Ｐを形成するので、各部材の配置に応じて、ファンモータ５０につながる電線５８の取り回しの自由度を高めることができる。結果として、防火機能を有しつつ、電線５８の取り回しの自由度の高い室外ユニット２を提供できる。
【００７３】
（３−１３）
また、本実施形態に係る室外ユニット２は、取付部材７０と、第１カバー部材８１又は第２カバー部材８２とが、電線経路Ｐの一部として、所定の隙間Ａを形成するように配置される（図１４参照）。そして、その隙間Ａを形成する位置に電線５８の一部が固定される。これにより、室外ユニット２の組立性を向上できるとともに電線５８の損傷を防止する効果をさらに高めることができる。
【００７４】
（３−１４）
また、本実施形態に係る室外ユニット２は、取付部材７０の当該隙間Ａを形成する部分（接触部７０ｐ）にヘミング加工がされている。これにより、電線５８の損傷を阻止することができる。
【００７５】
（３−１５）
また、本実施形態に係る室外ユニット２は、支持部材６０が、所定の方向（上下方向）に延びるとともに、その方向に沿って溝部が形成される柱状部材６１ａ，６１ｂを有する。また、電線５８が柱状部材６１ａ，６１ｂの溝部に配置される。そのため、室外ユニット２内の他の部品と電線５８との干渉を阻止できる。これにより、室外ユニット２の組立性が向上するとともに電線５８の損傷を防止する効果を高めることができる。
【００７６】
（４）変形例
（４−１）変形例Ａ
上記説明においては、第１カバー部材８１が貫通孔８１ｈを有し、第２カバー部材８２が開口８２ｈを有し、ファンモータ本体５１の外面が防火部材５５ａ，５５ｂを有する構成としたが、本実施形態に係る室外ユニット２はこれに限られるものではない。すなわち、本実施形態に係る室外ユニット２は、ファンモータ５０の周辺部材の構成により防火機能及び放熱性が満たされるものであれば、任意の形態を含むものである。例えば、ファンモータ５０は、ファンモータ本体５１の前方（風下側）の第１防火部材５５ａと、後方（風上側）の第２防火部材５５ｂとのいずれか一方だけを具備するものでもよい。このような形態でも、防火機能及び放熱性を向上させることができる。また、防火部材５５ｂを設けない場合、第２カバー部材８２は開口８２ｈを有していなくてもよい。これにより防火機能を向上させることができる。要するに、ファンモータ５０及び周辺部材の構造は、必要とする防火機能及び放熱性に応じて最適に構成できるものである。
【００７７】
（４−２）変形例Ｂ
本実施形態に係る室外ユニット２は、図１７に概念を示すように、ファンモータ本体５１の一部が開口８２ｈから突出し、突出した部分に防火部材５５ｂが形成されるものでもよい。
【００７８】
このように、ファンモータ５０の一部を開口８２ｈから突出させて配置することで、ファンモータ５０の大きさに応じてカバー部材８０（ここでは、第２カバー部材８２）の開口８２ｈの大きさを変更することを回避できる。換言すると、任意の大きさのファンモータ５０を利用して室外ユニット２を構築できる。
【００７９】
また、この場合、カバー部材８０（８２）は、図１８に示すように、ファンモータ本体５１の突出した部分に沿って縁部８２ｒを有するものでもよい。これにより、想定外の事象により、仮にファンモータ本体５１が発火した場合でもカバー部材８０（８２）の内部から外部に火が広がるのを阻止する効果を高めることができる。
【００８０】
（４−３）変形例Ｃ
本実施形態に係るファンモータ５０及び周辺部材の構造は、防火部材と支持部材と取付部材とカバー部材とが全体としてファンモータ本体５１の周囲を覆うものであれば任意の形態を採用することができる。
【００８１】
例えば、図１９，２０に示す形態のものを採用してもよい。ここで、図１９はファンモータ５０及びその周辺部材の右前方斜視図（柱状部材６１ａを透視）を示しており、図２０はファンモータ５０及びその周辺部材の右後方斜視図（柱状部材６１ａを透視）を示している。また、この場合、取付部材７０、第１カバー部材８１、及び第２カバー部材８２は、それぞれ図２１（ａ），２２（ａ），２３（ａ）に示される形態を有している。なお、図２１（ａ），２２（ａ），２３（ａ）に示される形態は、図２１（ｂ），２２（ｂ），２３（ｂ）に示される板金が折り曲げられることにより形成される。
【００８２】
（４−４）変形例Ｄ
本実施形態に係る室外ユニット２は、ファンモータ５０の周辺部材が任意のラビリンス構造を形成するものでもよい。ここで、「ラビリンス構造」とは、特定の視点から見た投影図において、一の部材により形成される隙間が他の部材により閉塞される構造をいう。
【００８３】
例えば、図２４に示す例では、取付部材７０の上面部７０ｂと第１カバー部材８１の上面部８１ｂとでラビリンス構造Ｌ１が形成され、取付部材の下面部７０ｃと第１カバー部材８１の下面部８１ｃと第２カバー部材８２の下面部８２ｃとでラビリンス構造Ｌ２が形成される。ここでは、取付部材７０の上面部７０ｂ及び下面部７０ｃにはそれぞれ第１隙間（開口）７０ｂｈ及び第２隙間（切り欠き）７０ｃｈが設けられている。そして、第１隙間７０ｂｈは上面視で第１カバー部材８１の上面部８１ｂに閉塞され、第２隙間７０ｃｈは下面視で第１カバー部材８１の下面部８１ｃ及び第２カバー部材８２の下面部８２ｃに閉塞される。
【００８４】
このようなラビリンス構造を形成することで、ファンモータ本体５１を覆う部材（図２４の例では、取付部材７０、第１カバー部材８１、及び第２カバー部材８２）の間に隙間が多く形成されるので、排水性及び放熱性を高めることができる。一方、ラビリンス構造を形成する隙間は平面視で他の部材により閉塞されるので、想定外の事象により、仮にファンモータ本体５１が発火した場合でもファンモータ本体５１の周囲を覆う部材から外部へ火が広がることが阻止される。結果として、上記構成により、防火機能を有しつつ排水性の高い室外ユニット２を提供することが可能となる。
【００８５】
（４−５）変形例Ｅ
上記説明では、一例として、第１カバー部材８１及び第２カバー部材８２により重複領域Ｒが形成されるものを挙げたが、本実施形態における重複領域はこれに限るものではない。すなわち、本実施形態における重複領域は、取付部材７０と第１カバー部材８１と第２カバー部材８２とのうちの少なくとも２つの部材により形成される構造であって、平面視で重複するとともに側面視で隙間を有し、ファンモータ本体５１よりも下方に形成される任意の構造を意味する。例えば、図２４に示すような形態においても、取付部材７０と第１カバー部材８１と第２カバー部材８２とにより、前述した意味での重複領域が形成されている。
【００８６】
（４−６）変形例Ｆ
上記説明では、重複領域Ｒを形成する第２カバー部材８２が、第１カバー部材８１の第１下面部８１ｃに向けて下向きに傾斜する第２下面部８２ｃ（傾斜部）を有する構成としたが、本実施形態に係る室外ユニット２の構成はこれに限るものではない。すなわち、本実施形態に係る室外ユニット２は、重複領域Ｒを形成する２つの部材のうちの一方が他方に向けて下向きに傾斜する傾斜部を有していれば、任意の構成を採用することができる。例えば、図２４に示す形態においてもファンモータ本体５１の下方に重複領域が形成されるが、重複領域を形成する取付部材７０が、第１カバー部材８１の第１下面部８１ｃに向けて下向きに傾斜する下面部（傾斜部）７０ｃを有する構成であってもよい。
【００８７】
（４−７）変形例Ｇ
上記説明では、取付部材７０と第１カバー部材８１とにより電線５８が規制される電線経路Ｐの例を挙げたが、電線５８はこれらの部材にのみ規制されるものではない。すなわち、本実施形態における電線経路Ｐでは、支持部材６０と取付部材７０と第１カバー部材８１と第２カバー部材８２とのうちの少なくとも２以上の部材により電線５８を規制する任意の形態を含むものである。
【００８８】
また、上記説明では、取付部材７０と第１カバー部材８１とにより形成される隙間Ａの位置に電線５８の一部が固定されるものとしたが、電線５８の固定される位置はこれに限定されるものではない。例えば、電線５８の一部が、取付部材７０と第２カバー部材８２との間に形成される隙間の位置に固定される形態でもよい。
【００８９】
また、電線５８は、ファンモータ本体５１から延びる方向に沿って、複数の位置で固定されるものでもよい。複数の位置で電線５８を固定することで、電線５８の弛みを抑えることができる。これにより、室外ユニット２の組立性を向上できるとともに電線５８の損傷を防止する効果を高めることができる。例えば、ファンモータ５０から延びる電線５８に対して、取付部材７０と第１カバー部材８１とにより形成される隙間Ａの位置に、電線５８の一部が固定されるようにする。さらに、隙間Ａの位置から延びる電線５８に対して、第１カバー部材８１と支持部材６０との間に形成される隙間に、電線５８の一部が係止されるようにする。そして、支持部材６０の溝部に電線５８が配置されるようにする。
【００９０】
（４−８）変形例Ｈ
上記説明では「トランク型」の室外ユニット２を説明したが、本実施形態に係るファンモータ５０の周辺部材の構造は他の形態の室外ユニット２にも適用可能である。例えば、室外ユニット２が、図２５に示すような、「上吹き型」と呼ばれるものでもよい。上吹き型の室外ユニット２は、下方からケーシング４０内に空気を取り込んで、ケーシング４０の上方に空気を吹き出すものである。この場合でも、ファンモータの周辺部材に上述した構造を適用することができる。具体的には、ファンモータの周囲にカバー部材を配置する。カバー部材は、ファンモータ本体に配置される防火部材と重複する領域に開口を有するものとする。そして、防火部材と支持部材と取付部材とカバー部材とが全体としてファンモータ本体を覆うようにする。これにより、上吹き型の室外ユニットであっても、防火機能を有しつつ、ファンモータの放熱性を向上することができる。また、支持部材と取付部材と第１カバー部材と第２カバー部材とのうちの少なくとも２以上の部材が、電線を規制して電線経路を形成するように配置する。これにより、上吹き型の室外ユニットであっても、防火機能を有しつつ、電線５８の取り回しの自由度を高くすることができる。
【００９１】
＜付記＞
なお、本発明は、上記各実施形態そのままに限定されるものではない。本発明は、実施段階ではその要旨を逸脱しない範囲で構成要素を変形して具体化できる。また、本発明は、上記各実施形態に開示されている複数の構成要素の適宜な組み合わせにより種々の発明を形成できるものである。例えば、実施形態に示される全構成要素から幾つかの構成要素は削除してもよいものである。さらに、異なる実施形態に構成要素を適宜組み合わせてもよいものである。
【符号の説明】
【００９２】
１        空気調和装置
２        室外ユニット
２Ｓ      室外ユニット
１１      室外熱交換器
１５      室外ファン
４０      ケーシング
４８      仕切り板
５０      ファンモータ
５０ｂ    ファンモータの底面
５１      ファンモータ本体
５１ａ    回転軸の周辺領域
５２      回転軸
５５ａ    第１防火部材（防火部材）
５５ｂ    第２防火部材（防火部材）
５８      電線
６０      支持部材
６１ａ    柱状部材
６１ｂ    柱状部材
７０      取付部材
７０ａ    正面部
７０ｂ    上面部
７０ｃ    下面部
７０ｐ    接触部（隙間を形成する部分）
８０      カバー部材
８１      第１カバー部材
８１ａ    正面部（固定部）
８１ｂ    上面部
８１ｃ    下面部（第１下面部）
８１ｈ    貫通孔（開口）
８１ｋ    係止部
８２      第２カバー部材
８２ｂ    上面部
８２ａ    正面部
８２ｃ    下面部（第２下面部，傾斜部）
８２ｈ    開口
８２ｒ    縁部
９５      ネジ
Ａ        隙間
Ｐ        電線経路
Ｒ        重複領域
Ｓ１      送風機室
Ｓ２      機械室
【先行技術文献】
【特許文献】
【００９３】
【特許文献１】特許第６０００２０４号
【図１】
2019027739.tif 000003
【図２】
2019027739.tif 000004
【図３】
2019027739.tif 000005
【図４】
2019027739.tif 000006
【図５】
2019027739.tif 000007
【図６】
2019027739.tif 000008
【図７】
2019027739.tif 000009
【図８】
2019027739.tif 000010
【図９】
2019027739.tif 000011
【図１０】
2019027739.tif 000012
【図１１】
2019027739.tif 000013
【図１２】
2019027739.tif 000014
【図１３】
2019027739.tif 000015
【図１４】
2019027739.tif 000016
【図１５】
2019027739.tif 000017
【図１６】
2019027739.tif 000018
【図１７】
2019027739.tif 000019
【図１８】
2019027739.tif 000020
【図１９】
2019027739.tif 000021
【図２０】
2019027739.tif 000022
【図２１】
2019027739.tif 000023
【図２２】
2019027739.tif 000024
【図２３】
2019027739.tif 000025
【図２４】
2019027739.tif 000026
【図２５】
2019027739.tif 000027